(57)【要約】  集中型パワーオーバイーサネット網のシャットダウンの方法を開示し、この方法は、第１の値がシャットダウンを命令し、第２の値が再起動を許可するシャットダウン２値信号を、前記ネットワークを通して集中管理装置１、２から送信するステップ１９、ネットワーク要素において前記シャットダウン信号の値を検出するステップ２０、次に、信号がその第１の値を有する場合は、前記ネットワーク要素の機能の少なくともいくつかをシャットダウンして、シャットダウン信号を伝搬するステップ２２、２４、または、信号がその第２の値を有する場合は、前記ネットワーク要素のすべての機能を許可するステップを含む。シャットダウン信号は、リモート受電可能であるネットワーク要素に電力をリモート供給するために通常使用されるパワーオーバイーサネット電圧によって構成されることが可能である。パワーオーバイーサネット電圧があると、シャットダウンを命令し、またシャットダウン信号の伝搬を命令するのに対して、パワーオーバイーサネット電圧がないと、前記ネットワーク要素のすべての機能を許可する。
2012518926.tif 000002
【特許請求の範囲】
【請求項１】
イーサネット網の少なくともいくつかのネットワーク要素をシャットダウンする方法であって、
ネットワーク要素（２−９）において、第１の値がネットワーク要素をシャットダウンするよう命令し、第２の値がネットワーク要素を再起動するよう許可する、第１のシャットダウン２値信号を受信するステップ（２０）と、
前記シャットダウン信号の値を検出するステップ（２０）と、
次に、第１の信号がその第１の値を有する場合、第２のシャットダウン信号を生成することによって、シャットダウンを下位ネットワーク要素に伝搬するステップと
を含み、
前記ネットワーク要素の少なくともいくつかの機能のシャットダウンを命令するために、
前記ネットワーク要素のポートにそれぞれフラグを割り当てるステップであって、ポートに割り当てられたフラグの値がこのポートのシャットダウン、およびこのポートを介するシャットダウンの伝搬を許可するまたは禁じる、ステップと、
このネットワーク要素が前記第１のシャットダウン信号の第１の値があることを検出するとき、あらかじめ割り当てられたフラグをチェックし、次に、このポートのシャットダウンを許可するフラグを割り当てられた各ポートにのみ、シャットダウン（２２）およびシャットダウンの伝搬を実行するステップと
をさらに含むことを特徴とする、方法。
【請求項２】
本発明によるネットワーク要素のカスケードの最上部に位置するネットワーク要素については、前記第１のシャットダウン信号が、イーサネットフレームによって搬送されることを特徴とする、請求項１に記載の方法。
【請求項３】
前記第１のシャットダウン信号が、リモート受電可能であるネットワーク要素に電力をリモート供給するために通常使用されるパワーオーバイーサネット電圧によって構成されることを特徴とする、請求項１に記載の方法。
【請求項４】
前記第２のシャットダウン信号が、リモート受電可能であるネットワーク要素に電力をリモート供給するために通常使用されるパワーオーバイーサネット電圧によって構成されることを特徴とする、請求項３に記載の方法。
【請求項５】
パワーオーバイーサネット電圧があるとき、第１の信号がその第１の値を有するのに対して、前記パワーオーバイーサネット電圧がないとき、第１の信号がその第２の値を有することを特徴とする、請求項３に記載の方法。
【請求項６】
第２の下位ネットワーク要素に直接つながれた第１のネットワーク要素の所与のポートを介してシャットダウン信号を伝搬するために、
パワーオーバイーサネット電圧があることによって、ダウンリンクポートに直接つながれたネットワーク要素がリモートシャットダウンされることが可能であるかどうかを判断するステップ、
第２の下位ネットワーク要素が、ＰｏＥ電圧があることによってシャットダウンされることが可能である場合、ＰｏＥ電圧がアップリンク（３８）で受け取られるとき、このダウンリンクポートでＰｏＥ電圧をオンにし、ＰｏＥ電圧がアップリンク（３８）で受け取られないとき、このダウンリンクポートでＰｏＥ電圧をオフにするステップ、
あるいは、第２の下位ネットワーク要素が、ＰｏＥ電圧があることによってリモートシャットダウンされることが可能ではない場合、ＰｏＥ電圧がアップリンク（３８）で受け取られるとき、このダウンリンクポートでＰｏＥ電圧をオフにし、ＰｏＥ電圧がアップリンク（３８）で受け取られないとき、このダウンリンクポートでＰｏＥ電圧をオンにするステップ
をさらに含むことを特徴とする、請求項５に記載の方法。
【請求項７】
前記第１のシャットダウン信号が、光ポートを備える第１のネットワーク要素から光ポートを有する第２のネットワーク要素へデータを伝送するために通常使用される光搬送波によって搬送されることを特徴とする、請求項１に記載の方法。
【請求項８】
連続的な光搬送波がないことが、第２のネットワーク要素の少なくともいくつかの機能のシャットダウン、および下位ネットワーク要素へのシャットダウンの伝搬を命令するのに対して、連続的な光搬送波があることが、第２のネットワーク要素のすべての機能を許可することを特徴とする、請求項７に記載の方法。
【請求項９】
シャットダウン信号に固有の変調信号で光搬送波を変調するステップをさらに含み、
光搬送波がありながら、この変調信号がないことが、第２のネットワーク要素の少なくともいくつかの機能のシャットダウン、および下位ネットワーク要素へのシャットダウンの伝搬を命令するのに対して、この変調信号があることが、第２のネットワーク要素のすべての機能を許可すること
を特徴とする、請求項７に記載の方法。
【請求項１０】
同じネットワーク要素のすべてのポートがシャットダウンされることになるかどうかをチェックするステップと、
次に、このネットワーク要素のすべてのポートがシャットダウンされることになる場合、このネットワーク要素のすべての機能をシャットダウンするステップと
をさらに含むことを特徴とする、請求項１に記載の方法。
【請求項１１】
イーサネット網を通して第１の２値シャットダウン信号を受信するための手段（４１；６１）と、
前記第１のシャットダウン信号の値を検出するための手段（３９；５９）と、
第１のシャットダウン信号がその第１の値を有する場合、第２のシャットダウン信号を生成することによって、下位ネットワーク要素にシャットダウンを伝搬するための手段（３９、４２；５９  ４２）と
を含むネットワーク要素（３７、６２）であって、
前記ネットワーク要素の少なくともいくつかの機能をシャットダウンするための手段（３９、４２；５９  ４２）であって、
前記ネットワーク要素のポートにそれぞれあらかじめ割り当てられたフラグをチェックするための手段（４２）であって、フラグの値がこのポートのシャットダウンおよびこのポートを介したシャットダウンの伝搬を許可するまたは禁じる、手段（４２）と、
前記ネットワーク要素が前記シャットダウン信号の第１の値があることを検出するとき、このポートのシャットダウンを許可するフラグを割り当てられた各ポートにのみ、シャットダウンおよびシャットダウンの伝搬を実行するための手段（４２）と
をさらに含むことを特徴とする、ネットワーク要素（３７、６２）。
【請求項１２】
第１のシャットダウン信号を受信するための前記手段が、アップリンク（３８）でイーサネットフレームを受信するための手段を含むことを特徴とする、請求項１３に記載のネットワーク要素（３７）。
【請求項１３】
第１のシャットダウン信号を受信するための前記手段が、リモート受電可能であるネットワーク要素に電力をリモート供給するために通常使用されるパワーオーバイーサネット電圧を、アップリンク（３８）で受け取るための手段を含むことを特徴とする、請求項１１に記載のネットワーク要素（３７）。
【請求項１４】
下位ネットワーク要素にシャットダウンを伝搬するための前記手段（３９、４２；５９  ４２）が、リモート受電可能であるネットワーク要素に電力をリモート供給するために通常使用されるパワーオーバイーサネット電圧を生成するための手段（４７）を含むことを特徴とする、請求項１１に記載のネットワーク要素（６２）。
【請求項１５】
パワーオーバイーサネット電圧が前記アップリンクにある場合、前記ネットワーク要素の少なくともいくつかの機能をシャットダウンし、このシャットダウンを伝搬するための前記手段（３９）が作動されることと、
パワーオーバイーサネット電圧が前記アップリンクにない場合、ネットワーク要素のすべての機能を許可するための手段が作動されることと
を特徴とする、請求項１１に記載のネットワーク要素（６２）。
【請求項１６】
シャットダウンを伝搬するための手段（４７）が、
パワーオーバイーサネット電圧があることによって、ダウンリンクポートに直接つながれたネットワーク要素がリモートシャットダウンされることが可能であるかどうかを判断するための手段と、
このダウンリンクポートにつながれたネットワーク要素が、ＰｏＥ電圧があることによってシャットダウンされることが可能である場合、ＰｏＥ電圧がアップリンク（３８）で受け取られるとき、このダウンリンクポートでＰｏＥ電圧をオンにし、ＰｏＥ電圧がアップリンク（３８）で受け取られないとき、このダウンリンクポートでＰｏＥ電圧をオフにし、
このダウンリンクポートにつながれたネットワーク要素が、ＰｏＥ電圧があることによってリモートシャットダウンされることが可能でない場合、ＰｏＥ電圧がアップリンク（３８）で受け取られるとき、このダウンリンクポートでＰｏＥ電圧をオフにし、ＰｏＥ電圧がアップリンク（３８）で受け取られないとき、このダウンリンクポートでＰｏＥ電圧をオンにする
ための手段と
を含むことを特徴とする、請求項１５に記載のネットワーク要素。
【請求項１７】
第１のシャットダウン信号を受信するための前記手段（６１）が、アップリンクのネットワーク要素から前記ネットワーク要素にデータを伝送するために通常使用される光搬送波を受信するための手段を含むことを特徴とする、請求項１１に記載のネットワーク要素（６２）。
【請求項１８】
連続的な光搬送波がない場合、前記ネットワーク要素の少なくともいくつかの機能をシャットダウンし、このシャットダウンを伝搬するための前記手段（５９、４２）が作動されることと、
連続的な光搬送波がある場合、ネットワーク要素のすべての機能を許可するための手段が作動されることと
を特徴とする、請求項１７に記載のネットワーク要素（６２）。
【請求項１９】
第１のシャットダウン信号を受信するための前記手段（５９）が、シャットダウン信号に固有の変調信号によって変調された光搬送波を受信するための手段を含むことと、
変調信号がなく、光搬送波がある場合、前記ネットワーク要素の少なくともいくつかの機能をシャットダウンし、このシャットダウンを伝搬するための前記手段（５９、４２が作動されることと
変調信号がある場合、ネットワーク要素のすべての機能を許可するための手段が作動されることと
を特徴とする、請求項１７に記載のネットワーク要素。
【請求項２０】
前記ネットワーク要素のすべてのポートがシャットダウンされることになるかどうかをチェックするための手段（４２；５２）と、
前記ネットワーク要素のすべてのポートがシャットダウンされることになる場合、前記ネットワーク要素のすべての機能をシャットダウンするための手段（４２；５２）と
をさらに含むことを特徴とする、請求項１９に記載のネットワーク要素。
【発明の詳細な説明】
【技術分野】
【０００１】
本発明は、概してパワーオーバイーサネット（ＰｏＥ）対応イーサネット網、すなわち、ネットワーク要素にリモート電力供給することができるイーサネット網に関する。一般にパワーオーバイーサネット（ＰｏＥ）対応ネットワークでは、各スイッチは、電源につながれたローカル電力供給装置によってそれぞれ給電されるが、各端末は、端末が直接つながれたスイッチによって提供されるＰｏＥ電圧によって給電される。
【０００２】
ＰｏＥネットワーク要素（端末およびスイッチ）によって消費される電力は、イーサネット通信速度が上がると共に増大しており、また一日あたり２４時間消費される。しかし、イーサネット網では、すべてのネットワーク要素が常時（例えば夜間に）動作している必要があるわけではない。エネルギーを節約するために、必要のないときに電力消費量を減らすことが望ましい。
【背景技術】
【０００３】
イーサネット網の各要素において、消費量を下げるために、以下のような多くの解決法が実施されている：
端末またはスイッチにおいて、いくつかの機能をシャットダウンすること（バックライトをシャットダウンすること、ＣＰＵクロック周波数を下げること、イーサネット通信速度を下げること）。
規格ＩＥＥＥ８０２．３ａｚにより、準備中に、接続がアイドル状態であるときに伝送を停止し、物理リンクレベルの構成要素におけるエネルギー消費量を減らすことができる。
【０００４】
しかし、ネットワーク機能は常に利用できる状態でなければならないと仮定するので、こうしたすべての解決法により、各ネットワーク要素で２０％から５０％の電力削減が可能になるにすぎない。
【０００５】
エネルギーを節約するための考えられる方法は、主電源による給電を遮断することでありうるが、一般的にスイッチは、スイッチのカスケードがある場合、カスケードされた順に再起動されなければならないので、これは故障、またはスタートアップの順番の問題につながる可能性がある。また、一部の端末および一部のサーバ、詳細には緊急通話に使用される可能性があるＩＰ電話へのパス上にあるものは、常にオン状態でなければならないので、すべてのネットワーク要素をシャットダウンすることはできない。
【０００６】
文献、独国特許出願第１０  ２０００７  ０２８  １８０号は、いくつかの端末が回線で接続されたイーサネット網について記載している。前記回線を介してデータおよび端末の電力供給用の電源電圧が伝送可能である。少なくとも１つの端末は、スイッチ制御ユニットによってリモート制御されるスイッチ装置を介して、主電源によって給電される。スイッチ装置およびスイッチング制御は、共に、このイーサネットローカルエリア網につながれている。スイッチ装置は、スイッチ制御ユニットを操作することによって作動される、または作動を停止されることが可能である。このスイッチ制御ユニットは、スイッチ装置をつなげている回線に４８Ｖのリモート電源電圧を印加することができる。この電圧が印加されるとき、スイッチ装置に割り当てられた端末はスイッチをオンにされる。この電圧が印加されないとき、スイッチ装置に割り当てられた端末は、スイッチをオフにされる。
【０００７】
文献、米国特許第７２５１７３６号は、各ノードがサーバである、論理的に一貫したデータ処理システムの複数の別個のノードにわたるリモート電源制御のためのシステムおよび方法について記載している。このシステムは、２つ以上の静的区画に分割される。区画のリモート電源制御は、修正されたウェイクオンラン（ｗａｋｅ−ｏｎ−ＬＡＮ）の実行を利用することによって達成され、この修正されたウェイクオンランでは、区画中の各ネットワークアダプタ上のマジックパケットフィルタが、ノードのすべてに認識される、またはノードのすべてに共通であるマジックパケットによって、リモートからの区画全体の再起動ができるように修正されている。１つの実施形態では、区画中の各ネットワークアダプタのウェイクオンランフィルタは、その区画中のネットワークアダプタのいずれかに宛てられたマジックパケットを認識して、これに反応する。別の実施形態では、区画中の各ネットワークアダプタのウェイクオンランフィルタは、ユニバーサルマジックパケットに反応するように修正される。
【０００８】
文献、国際公開第２００８１５４７５５号は、互いとデータを交換し、所与の公称電圧レベルの供給能力を備えた内部電源を有する少なくとも１つのネットワークノードまたは端末の少なくとも１つによって給電される複数の端末を含むデータ網を操作するための方法について記載している。簡略化され、適応性のある優先度に基づいたネットワーク動作の制御が実現され、端末は、異なる優先レベルを有するカテゴリで配置され、電圧レベルが電圧レベル低下と共に公称値を下回ると、端末は、優先度によって与えられる順番でスイッチをオフにされ、最も低い優先度の端末が最初にスイッチをオフにされる。
【先行技術文献】
【特許文献】
【０００９】
【特許文献１】米国特許第７２５１７３６号明細書
【特許文献２】国際公開第２００８１４５７５５号
【発明の概要】
【発明が解決しようとする課題】
【００１０】
本発明の目的は、再起動時にスイッチ障害またはスタートアップの順番の問題を起こすことなく、ＰｏＥ網の少なくともいくつかのネットワーク要素をシャットダウンするための改善された方法を提案することである。
【課題を解決するための手段】
【００１１】
本発明は、イーサネット網の少なくともいくつかのネットワーク要素をシャットダウンする方法を提供し、この方法は：
−  ネットワーク要素において、第１の値がネットワーク要素をシャットダウンするよう命令し、第２の値がネットワーク要素の再起動を許可する、第１のシャットダウン２値信号を受信するステップと、
−  前記シャットダウン信号の値を検出するステップと、
−  次に、第１の信号がその第１の値を有する場合、第２のシャットダウン信号を生成することによって、下位ネットワーク要素にシャットダウンを伝搬するステップとを含み、
前記ネットワーク要素の少なくともいくつかの機能のシャットダウンを命令するために、この方法は、さらに：
−  前記ネットワーク要素のポートにそれぞれフラグを割り当てるステップであって、ポートに割り当てられたフラグの値が、このポートのシャットダウン、およびこのポートを介するシャットダウンの伝搬を許可する、または禁ずるステップと、
−  このネットワーク要素が前記第１のシャットダウン信号の第１の値があることを検出するとき、あらかじめ割り当てられたフラグをチェックし、次に、このポートのシャットダウンを許可するフラグが割り当てられた各ポートに対してのみ、シャットダウンおよびシャットダウンの伝搬を実行するステップとを含むことを特徴とする。
【００１２】
この方法により、所与のネットワーク要素のいくつかの所定のポートのみをシャットダウンすることができる。この所与のネットワーク要素の他のポートは、例えば、緊急電話または重要なサーバをネットワークに接続するために稼働したままである。
【００１３】
シャットダウンされるポートは、第２のシャットダウン信号を生成することによって、他のネットワーク要素にシャットダウンを伝搬する。このようにダウンリンクネットワーク要素を介して次々とシャットダウンを伝搬することにより、再起動時のスイッチ障害またはスタートアップの順番の問題を起こすことなく、他のいくつかのネットワーク要素中の少なくともいくつかの機能をシャットダウンすることができる。この再起動は、シャットダウン信号の値が変わることによってトリガされ、この変更がスイッチのカスケードに沿って集中管理装置から端末へ伝わり、それゆえスイッチはカスケードの順序で再起動するからである。この再起動順は、スイッチ障害およびスタートアップの順番の問題を回避する。
【００１４】
この方法の特殊な実施形態によれば、本発明によるネットワーク要素のカスケードの最上部に位置するネットワーク要素については、第１のシャットダウン信号は、イーサネットフレームによって搬送される。
【００１５】
この方法の別の実施形態によれば、前記第１のシャットダウン信号は、リモート受電可能であるネットワーク要素に電力をリモート供給するために通常使用されるパワーオーバイーサネット電圧によって構成される。
【００１６】
この方法の好ましい実施形態によれば、前記第２のシャットダウン信号は、リモート受電可能であるネットワーク要素に電力をリモート供給するために通常使用されるパワーオーバイーサネット電圧によって構成される。
【００１７】
この方法の好ましい実施形態によれば、第１の信号は、パワーオーバイーサネット電圧があるとき、その第１の値を有するのに対して、第１の信号は、前記パワーオーバイーサネット電圧がないとき、その第２の値を有する。
【００１８】
この方法の好ましい実施形態によれば、第２の下位ネットワーク要素に直接つながれた第１のネットワーク要素の所与のポートを介してシャットダウン信号を伝搬するために、この方法は、さらに：
−  ダウンリンクポートに直接つながれたネットワーク要素が、パワーオーバイーサネット電圧があることによってリモートシャットダウンされることが可能であるかどうかを判断するステップと、
−  第２の下位ネットワーク要素が、ＰｏＥ電圧があることによってシャットダウンされることが可能である場合、アップリンクでＰｏＥ電圧が受け取られるとき、このダウンリンクポートでＰｏＥ電圧をオンにし、アップリンクでＰｏＥ電圧が受け取られないとき、このダウンリンクポートでＰｏＥ電圧をオフにするステップと、
−  または、第２の下位ネットワーク要素が、ＰｏＥ電圧があることよってリモートシャットダウンされることが可能ではない場合、アップリンクでＰｏＥ電圧が受け取られるとき、このダウンリンクポートでＰｏＥ電圧をオフにし、アップリンクでＰｏＥ電圧が受け取られないとき、このダウンリンクポートでＰｏＥ電圧をオンにするステップとを含む。
【００１９】
この方法の別の実施形態によれば、第１のシャットダウン信号は、光ポートを備える第１のネットワーク要素から光ポートを有する第２のネットワーク要素へデータを伝送するために通常使用される光搬送波によって搬送される。好ましくは、連続的な光搬送波がないことは、第２のネットワーク要素の少なくともいくつかの機能をシャットダウンすること、およびこのシャットダウンを下位ネットワーク要素に伝搬することを命令するのに対し、連続的な光搬送波があることは、第２のネットワーク要素のすべての機能を許可する。
【００２０】
この方法の別の実施形態によれば、この方法は、シャットダウン信号に固有の変調信号で光搬送波を変調するステップを含み、
光搬送波はあるがこの変調信号がないことは、第２のネットワーク要素の少なくともいくつかの機能のシャットダウン、および下位ネットワーク要素へのシャットダウンの伝搬を命令するのに対して、この変調信号があることは、第２のネットワーク要素のすべての機能を許可する。
【００２１】
この方法の好ましい実施形態によれば、ネットワーク要素の少なくともいくつかの機能のシャットダウンを命令するために、この方法は、さらに：
−  前記ネットワーク要素のポートにそれぞれあらかじめ割り当てられたフラグをチェックするステップであって、フラグの値がこのポートのシャットダウン、およびこのポートを介したシャットダウンの伝搬を許可するまたは禁ずるステップと、
−  次に、このネットワーク要素が、前記第１のシャットダウン信号の第１の値があることを検出するとき、このポートのシャットダウンを許可するフラグを割り当てられた各ポートに対してのみ、シャットダウンおよびシャットダウンの伝搬を実行するステップとを含む。
【００２２】
この方法の好ましい実施形態によれば、この方法は、さらに：
−  同じネットワーク要素のすべてのポートがシャットダウンされることになるかどうかをチェックするステップと、
−  次に、このネットワーク要素のすべてのポートがシャットダウンされることになる場合、このネットワーク要素のすべての機能をシャットダウンするステップとを含む。
【００２３】
本発明はまた、本発明による方法を実施するように構成されたネットワーク要素を提供する。
【００２４】
本発明の他の特徴および利点は、添付の図面と併せるとき、本発明の諸実施形態の次の詳細な説明からさらに明らかになるであろう。
【００２５】
本発明の諸実施形態の詳細な特徴および利点を説明するために、以下は、添付の図面を参照する。
【図面の簡単な説明】
【００２６】
【図１】すべて本発明により設計されたスイッチを含むイーサネット網の第１の例を表す図である。
【図２】本発明による方法の１つの実施形態のフローチャートである。
【図３】本発明によるスイッチと、本発明によらないスイッチとを含むイーサネット網の第２の例を表す図である。
【図４】電気アップリンクを備えた、本発明によるイーサネットスイッチの第１の実施形態を概略的に表す図である。
【図５】光アップリンクを備えた、本発明によるイーサネットスイッチの第２の実施形態を概略的に表す図である。
【発明を実施するための形態】
【００２７】
すべて本発明により設計されたスイッチを含む、イーサネット網の第１の例を、図１に表しており、これは：
−  パーソナルコンピュータであることが可能である、集中管理装置１と、
−  単一のイーサネットスイッチ２を含む第１のスイッチング層と、
−  スイッチ２につながれた２つのイーサネットスイッチ３−４を含む第２のスイッチング層と、
−  スイッチ５−７がスイッチ３につながれ、スイッチ８、９がスイッチ４につながれた、４つのイーサネットスイッチ５−９を含む第３のスイッチング層と、
−  端末例１０−１３とを含み、
−−  端末１０−１１は、スイッチ５−７につながれたＩＰ電話であって、平常の通話に使用され、
−−  端末１２は、スイッチ９につながれたＩＰ電話であって、緊急通話に使用され、
−−  端末１３は、スイッチ９につながれており、重要なサーバである。
【００２８】
ネットワーク要素（具体的にはスイッチまたは端末）がＰｏＥスイッチに接続されると、伝統的な検出手順が自動的に行われて、要素のタイプおよびこの要素の電力クラスを判断する。この手順により、以下のいくつかのタイプのネットワーク要素：
−  例えば、ＰｏＥ電圧を運ぶことができない伝統的なイーサネットアダプタを装備したパーソナルコンピュータなど、リモート受電可能ではなく、ＰｏＥ電圧があることによってシャットダウンされることが可能ではないネットワーク要素、
−  例えば、本発明により設計されたスイッチ、あるいはローカル電源および本発明によるシャットダウン方法を適用するように特別に設計されたイーサネットアダプタを装備したパーソナルコンピュータなど、リモート受電可能ではないが、ＰｏＥ電圧があることによってシャットダウンされることが可能であるネットワーク要素、
−  例えば、ＰｏＥ電圧によって受電し、このＰｏＥ電圧をリモートで遮断することによってシャットダウンされることが可能であるＩＰ電話など、リモート受電可能であり、ＰｏＥ電圧がないことによってリモートシャットダウンされることが可能であるネットワーク要素を識別することができる。
【００２９】
この例では端末１０−１３は、これらの端末がスイッチ５−９につながれたときにそれぞれ行われた検出手順中に、それぞれこれらのスイッチ５−９によってあらかじめ識別されている：
−  端末１０−１２は、ローカル電源を備えていないので、リモート受電可能であり、ＰｏＥ電圧がないことによってリモートシャットダウンされることが可能である端末として識別されている。
−  端末１３は、ローカル電源および伝統的なイーサネットアダプタを装備しているので、リモート受電可能ではなく、ＰｏＥ電圧があることによってシャットダウンされることが可能ではない端末として識別されている。それゆえ端末１３は、ＰｏＥ電圧を受け取ってはならない。
【００３０】
この例では、端末１２は緊急通話に使用され、また端末１３は重要なサーバであるので、ネットワークは、完全にシャットダウンされてはならない。常時データ接続を必要とするポートを識別するために、スイッチ２−９ではネットワーク管理者によってフラグが設定されている。各ポートはフラグを有し、その値が、このポートのシャットダウン、およびシャットダウンの伝搬を許可するまたは禁ずる。この例では、スイッチ２、４、９は、緊急通話に使用されるＩＰ電話である端末１２への呼、および重要なサーバである端末１３への呼に使用されるパス上にあるので、これらは完全にシャットダウンされてはならない。
【００３１】
動作するために、端末１０、１１、１２は、それぞれつながれているスイッチ５−９によってそれぞれ供給されるＰｏＥ電圧を受け取る。これらの端末１０、１１、１２については、ＰｏＥ電圧は、電力供給という伝統的な役割を果たす。シャットダウン信号がスイッチ５−８によって受信されるとき、スイッチ５−８は、これらの端末１０、１１、１２をシャットダウンするために、端末１０、１１、１２にそれぞれ供給されるＰｏＥ電圧を遮断する。
【００３２】
これが、下位ネットワーク要素にシャットダウンを伝搬する第１の方法である。これは、リモート受電する端末に対してのみ使用される。
【００３３】
下位ネットワーク要素にＰｏＥ電圧を供給することにある第２の方法がある。これは、本発明により設計されたスイッチ２−９のように、ＰｏＥ電圧を供給することによってシャットダウンされることが可能であるネットワーク要素に対してのみ使用される。
【００３４】
このような理由から、本発明によるスイッチは、下位に直接つながれたネットワーク要素のタイプにより様々な方法でシャットダウン信号を伝搬しなければならない。
【００３５】
イーサネットスイッチ２−９はすべて、それぞれローカル電源装置（表示せず）によって給電される。イーサネットスイッチ２−９はすべてＰｏＥ対応であり、すなわちこれらは、シャットダウン信号としてまたは電力供給装置として、ＰｏＥ電圧を下位ネットワーク要素に提供することができ、またこれらはすべて、本発明による方法を実施するように構成されており、すなわちこれらは次の規則を適用する：
−  下位ネットワーク要素がリモート受電可能ではなく、ＰｏＥ電圧があることによってシャットダウンされることが可能ではない場合、スイッチはシャットダウン信号を伝搬することはできない。スイッチは、パワーオーバイーサネット電圧を決して供給せず、ＰｏＥ電圧と互換性がない可能性があるこの端末へのいかなる損傷も防ぐ。
−  下位ネットワーク要素はリモート受電可能ではないが、ＰｏＥ電圧があることによってシャットダウンされることが可能である場合、スイッチは、パワーオーバイーサネット電圧をこのネットワーク要素に供給することによってシャットダウン信号を伝搬する。ＰｏＥ電圧がないことは、再起動を命令する。
−  下位ネットワーク要素が、ＰｏＥ電圧があることによってリモート受電可能であり、ＰｏＥ電圧がないことによってリモートシャットダウンされることが可能である場合、スイッチは、この下位ネットワーク要素へのパワーオーバイーサネット電圧を遮断することによってシャットダウン信号を伝搬する。ＰｏＥ電圧があることは、再起動を命令する。
【００３６】
さらにスイッチ２は、本発明により設計されたスイッチのカスケードの最上部にあり、集中管理装置１からシャットダウン命令を受信するための手段を含み、この命令は、イーサネットフレームによって搬送される。スイッチ２がこの命令を受信すると、スイッチは、シャットダウンが許可されるようにフラグを立てられたポートにＰｏＥ電圧を印加することによってシャットダウン信号を伝搬する。第１のポートは、スイッチ３につながれており、シャットダウンが許可されるようにフラグを立てられている。第２のポートは、スイッチ４につながれており、シャットダウンを禁ずるようにフラグを立てられている。スイッチ２は、先の検出手順中に、これらのポートがそれぞれ、リモート受電可能ではないが、ＰｏＥ電圧があることによってシャットダウンされることが可能である２つのネットワーク要素につながれていることを検出した。次にスイッチ２は、以下によってシャットダウンを実行する：
−  スイッチ３に接続されたポートをシャットダウンする。
−  スイッチ４につながれたポートを作動状態に維持する。
−  スイッチのカスケードに沿って端末までシャットダウン信号を伝搬するために、それぞれ両ポートでＰｏＥ電圧を供給する。
【００３７】
その後スイッチ２は、作動状態のままであるポートの数に適合された低電力モードで動作したままである。ＰｏＥ電圧は、そのまま維持される。
【００３８】
各スイッチ２−９は、このポートのデータ送信機およびデータ受信機をオフにすることによってポートをシャットダウンするが、シャットダウンを伝搬するための回路を含む。これらの回路は、以下の２つの方法でシャットダウンを伝搬することができる：
−  このネットワーク要素がリモート受電可能ではないが、ＰｏＥ電圧があることによってシャットダウンされることが可能である場合、下位ネットワーク要素にＰｏＥ電圧を供給することによる。
−  あるいは、このネットワーク要素が、ＰｏＥ電圧があることによってリモート受電し、ＰｏＥ電圧がないことによってリモートシャットダウンされることが可能である場合、ＰｏＥ電圧を供給しないことによる。
【００３９】
これらのスイッチ２−９のそれぞれは、さらに：
−  前記ネットワーク要素のすべてのポートがシャットダウンされることになるかどうかをチェックするための手段と、
−  前記ネットワーク要素のすべてのポートがシャットダウンされることになる場合、前記ネットワーク要素のすべての機能をシャットダウンするための手段とを含む。
【００４０】
それにより、電力消費量が非常に低くなる。
【００４１】
各スイッチは、ＰｏＥ電圧を検出するために、そのアップリンク接続を監視する。これは、物理イーサネット層の回路から独立した、単純なアナログ回路によって行われることが可能である。
【００４２】
ＰｏＥ電圧がスイッチ２−９のアップリンクポートに設定される場合、シャットダウンが開始されることを意味する。このように、非ＰｏＥスイッチとの互換性を維持する、すなわち本発明によるスイッチが非ＰｏＥスイッチのダウンリンクにつながれる場合、このスイッチは決してＰｏＥ電圧を受信しないので、シャットダウン機能は決して作動されない。それゆえ本発明によるスイッチは正常に動作することができ、シャットダウンプロセスは、単にこのスイッチおよび下位の他のスイッチに影響を与える。
【００４３】
スイッチ４が、そのアップリンクポートで、スイッチ２からＰｏＥ電圧を受信すると、スイッチ４は、シャットダウンを許可するフラグを有するそのすべてのポートをシャットダウンし、このシャットダウンを伝搬するために、ＰｏＥ電圧によってシャットダウンされることが可能であるネットワーク要素につながれたポートにＰｏＥ電圧を加える。これは、スイッチ８につながれたポートの場合である。
【００４４】
スイッチ４は、決してシャットダウンされてはならないこと、およびシャットダウンを伝搬してはならないことを示すそれぞれのフラグを有するポートを作動状態に維持する。これは、スイッチ９につながれたポートの場合である。スイッチ４は、作動状態のままであるポートの数に適合された低電力モードで動作し続ける。
【００４５】
スイッチ８が、そのアップリンクポートでスイッチ４からＰｏＥ電圧を受信するとき、シャットダウンを禁じるフラグを付けられたポートがないので、スイッチ８はそのすべてのポートをシャットダウンし、ＰｏＥ電圧によってシャットダウン可能であるネットワーク要素につながれた、そのすべてのポートでＰｏＥ電圧を設定する。スイッチ８が、そのすべてのポートがシャットダウンされることになると検出するとき、スイッチ８はそのすべての機能をシャットダウンする。その後スイッチ８は、ＰｏＥ電圧を供給するために、また後の再起動のために必要な最小限の機能で動作し続ける。それゆえスイッチ８の消費電力は非常に低い。
【００４６】
スイッチ９は、そのアップリンクポートがスイッチ４の、オンに維持されているポートにつながれているので、スイッチ４からいかなるＰｏＥ電圧も受け取らず、いかなるシャットダウンも伝搬することはない。それゆえスイッチ９は、そのすべてのポートをオンに維持する。スイッチ９は、何にもつながれていないそのダウンリンクポートではＰｏＥ電圧を供給しない。しかし、スイッチ９は、端末１２−１３がつながれていて、リモート電力供給を必要とするポートにそれぞれＰｏＥ電圧を供給する。端末１２−１３は、各端末がスイッチ９につながれたときにそれぞれ行われる検出手順中にスイッチ９によってあらかじめ識別されている。
【００４７】
端末１２は、この例では、他にいかなる電力供給装置も備えていないので、スイッチ９によって供給されるＰｏＥ電圧を受け取り、伝統的にこれをエネルギー源として使用する。端末１３は、リモート電力供給を必要としない端末としてあらかじめ識別されているので、スイッチによって供給されるいかなるＰｏＥ電圧も受け取らない。
【００４８】
スイッチ３は、そのアップリンク上でスイッチ２からＰｏＥ電圧を受け取る。スイッチ３では、すべてのポートが、シャットダウン可能であるようにフラグ付けされており、これらは、先の検出手順の間に識別されたように、リモート受電可能ではないが、ＰｏＥ電圧があることによってシャットダウンされることが可能であるネットワーク要素につながれているので、それぞれのＰｏＥ電圧をオンにすることができる。
【００４９】
スイッチ５は、そのアップリンク上でスイッチ３からＰｏＥ電圧を受け取る。スイッチ５では、すべてのポートが、シャットダウン可能であるようにフラグ付けされている。それゆえスイッチ５は、そのすべてのポートをシャットダウンする。スイッチ５は、リモート受電し、ＰｏＥ電圧がないことによってリモートシャットダウンされることが可能であるネットワーク要素として識別されたので、例示的ＩＰ電話１０のようなＩＰ電話に接続されたそのダウンリンクポートでいかなるＰｏＥ電圧も供給しない。これらの端末は、各端末がスイッチ５に接続されたときにそれぞれ行われる検出手順中に、スイッチ５によってあらかじめ識別されている。
【００５０】
スイッチ６−８においても状況は同じである。
【００５１】
ウェイクアップについては、スイッチ２に送信されるイーサネットフレーム中に管理装置１によってウェイクアップコマンドが発行される。スイッチ２は、シャットダウンされたその機能を再起動する。シャットダウンされた、下位ネットワーク要素にそれぞれつながっているポートで検出手順が行われる。これは、スイッチ３につながれたポートの場合である。
【００５２】
スイッチ２は、再びスイッチ３の存在を検出し、スイッチ３はリモート受電可能ではないが、ＰｏＥ電圧があることによってリモートシャットダウンされることが可能であると判断する。スイッチ２は、スイッチ４の存在およびタイプをすでにわかっている。
【００５３】
スイッチ２は、スイッチ３につながるポートからＰｏＥ電圧を取り除く。ＰｏＥ電圧がないことは、スイッチ３のアップリンク接続を監視している電圧検出手段によって検出される。次にスイッチ３は、シャットダウンされたその機能を再起動する。シャットダウンされて、下位ネットワーク要素にそれぞれつながっているそのダウンリンクポートで検出手順が行われる。これは、スイッチ５−７を再び検出する。その後スイッチ３は、そのすべてのポートからＰｏＥ電圧を取り除く。
【００５４】
次に、スイッチ５−７のアップリンクを監視しているそれぞれの電圧検出手段によって、ＰｏＥ電圧がないことが検出される。スイッチ５−７は再起動する。シャットダウンされて、下位ネットワーク要素にそれぞれつながっているポートで検出手順が行われる。これらは、リモート電力供給を必要とする端末１０−１１を再び検出する。その後スイッチ５−７は、端末１０−１１につながるポートにＰｏＥ電圧を加える。
【００５５】
次にウェイクアッププロセスが、スイッチ４において、その後スイッチ９において同様に行われる。
【００５６】
このようにウェイクアップは、集中管理装置１からスイッチ５−９へ自動的に伝搬される。スタートアップは、スイッチ１−９においてカスケードの順に連続して実行され、したがって、スイッチの障害、またはスタートアップの順番の問題を回避する。
【００５７】
変形形態では、集中管理装置１は、カスケードの最上部のスイッチ２に統合されることが可能である。
【００５８】
図２は、本発明による方法の１つの実施形態のフローチャートを表す：
ステップ１８：集中管理装置１が、第１のスイッチ２に、シャットダウン信号を伝搬する命令を送信する。このスイッチ２は、本発明による方法を実施するために設計された少なくとも２つの連続したスイッチを含むカスケードの最上部にある。
ステップ１９：第１のスイッチ２が、それぞれＰｏＥスイッチにつながっているそのすべてのダウンリンクポートにＰｏＥ電圧を供給する。
ステップ２０：例えばスイッチ９のような、検討されるスイッチが、そのアップリンクポートで、ＰｏＥ電圧によって構成されるシャットダウン信号を受信する。
ステップ２１：次に、検討されているスイッチは、それぞれのフラグをチェックすることによって、そのすべてのポートがシャットダウン可能であるかどうかをチェックする。いいえの場合、ステップ２２に進む。はいの場合、ステップ２４に進む。
ステップ２２：スイッチは、許可されたポートのみをシャットダウンする。また、スイッチは、電力消費量が低減される低電力動作状態に入る。
ステップ２３：その後、スイッチは、低電力を消費しながら、低速実行状態で動作し続ける。
ステップ２４：スイッチは、そのすべてのポートをシャットダウンし、スイッチ自体をシャットダウンする。別のＰｏＥスイッチが下位につながれている場合のＰｏＥ電圧によって構成されるシャットダウン信号の伝搬、および再起動のために必要なＰｏＥ電圧の損失検出以外、すべての機能が停止される。
ステップ２５：その後、スイッチは、消費電力が非常に低い、停止状態のままである。
【００５９】
図３は、本発明によるスイッチ、および本発明によらないスイッチを含むイーサネット網の第２の例を表わす。図３は、伝統的なＰｏＥスイッチが本発明により設計されたＰｏＥスイッチと混在している場合を示す。伝統的なＰｏＥスイッチは、下位につなげられたネットワーク要素に（これらがリモート受電の必要があると確認される場合）ＰｏＥ電圧を恒久的に提供するよう設計されており、したがって２値を取らなければならないシャットダウン信号を伝搬することはできない。好ましくは一方は、ＰｏＥ電圧があることによって構成され、他方は、ＰｏＥ電圧がないことによって構成される。
【００６０】
この第２の例は：
−  集中管理装置１’と、
−  本発明による、すなわちシャットダウン機能を有する単一のＰｏＥスイッチ２’を含む第１のスイッチング層。
−  ２つのＰｏＥスイッチ３’−４’を含む第２のスイッチング層であって、スイッチ４’は本発明により設計されており、スイッチ３’は伝統的なＰｏＥスイッチであり、すなわちシャットダウン機能がない、第２のスイッチング層と、
−  ４つのスイッチ５’−９’を含む第３のスイッチング層。スイッチ８’−９’は、本発明により設計されて、スイッチ２’につながれており、スイッチ５’、６’、７’は、スイッチ３’につながれた伝統的なＰｏＥスイッチである。
−  ＩＰ電話であって、すべて平常の通話に使用され、それゆえすべてが、支障をきたすことなく一定の期間中（例えば夜間）にシャットダウンされる場合がある例示的端末１０’−１３’とを含む。
【００６１】
スイッチ３’、５’、６’、７’は、そのそれぞれのアップリンクにＰｏＥ電圧があることを検出することができないので、決してシャットダウンされない。スイッチ３’−９’は、検出手順中に、リモート電力供給を必要とする端末１０’−１３’があることを検出した伝統的なＰｏＥ対応スイッチであるので、スイッチ３’−９’のそれぞれのダウンリンクでＰｏＥ電圧が恒久的に作動される。したがって端末１０’−１１’は、決してシャットダウンされない。
【００６２】
一方、ネットワーク要素２’、４’、８’、９’、１２’−１３’は、本発明による方法を実施するための手段を含むので、少なくとも部分的にシャットダウンされる場合がある。具体的には、これらは、図１について上で説明したように、あるネットワーク要素から下位の別のネットワーク要素へ、スイッチ８’、９’までシャットダウンを伝搬し、その後スイッチ８’、９’が端末１２’、１３’に供給するＰｏＥ電圧を遮断することによって、これらの端末へシャットダウンを伝搬することができる。
【００６３】
これは、本発明によるスイッチが、同じＰｏＥ網で伝統的なＰｏＥスイッチと混在することが可能であることを示す。
【００６４】
ネットワークの他の例では、本発明によるスイッチのカスケードの最上部が、スイッチのカスケードの最上部と一致しない場合がある。例えば、スイッチ２’が伝統的なスイッチであった場合、本発明による方法は、スイッチ４’、８’、９’のみによって適用されることになる。このような場合、集中管理装置１’は、スイッチ２’の代わりにスイッチ４’に、シャットダウン／再起動命令を宛てることになる。
【００６５】
図４は、電気アップリンク３８を備えた、本発明によるイーサネットスイッチの第１の実施形態３７を概略的に表す。これは、以下を含む：
−  電気イーサネットアップリンク３８につながれたポートを構成する伝統的なＰｏＥ物理層回路４１。これは、シャットダウン信号が加えられたとき、アップリンクを介して受け取られたＰｏＥ電圧を供給するアクセスを含む。
−  上位スイッチへ署名を提示するための回路４０。この署名は、このネットワーク要素のタイプを示す（このネットワーク要素はリモート電力供給されることは可能ではないが、リモートシャットダウンされることは可能である）。これは、伝統的なＰｏＥ物理層回路４１のアクセスにつながれている。
−  ＰｏＥ電圧検出回路３９
−  中央処理装置４２
−  ファン４３
−  主電源につながれた高電力ＡＣ／ＤＣコンバータ４４。これは、スイッチ３７の主電源であり、スイッチ３７がシャットダウンされるとき、完全にオフにされることが可能である。
−  主電源につながれた低電力ＡＣ／ＤＣコンバータ４５。これは常にオンである。スイッチ３７のすべての機能がシャットダウンされるとき、これは、シャットダウン信号の値の変化を検出するため、シャットダウン信号を伝搬するためにダウンリンクポートにＰｏＥ電圧を供給するため、およびスイッチ３７を再起動するために、必要な低電力を供給する。
−  １つのポートから別のポートへイーサネットフレームを転送するスイッチ４６。
−  ダウンリンクにつながれたネットワーク要素があることを検出するため、およびこのネットワーク要素のタイプを識別する（具体的には、その電力クラスを識別する）ための、署名および電力管理装置４７。
−  それぞれダウンリンク４９につながれたポートを構成する複数の伝統的なＰｏＥ物理層回路４８。こうした回路４８のそれぞれは、ダウンリンクでＰｏＥ電圧を供給する、または供給しないように制御されることが可能である出力を含む。
【００６６】
中央処理装置４２は、ＰｏＥ電圧検出回路３９によって供給される停止要求信号を受信するための入力を有する。スイッチ３７の少なくともいくつかの機能をシャットダウンするために、中央処理装置４２は、それぞれ以下：
−  署名および電力管理装置４７、
−  スイッチ４６、
−  ファン４３、
−  高電力ＡＣ／ＤＣコンバータ４４、
−  伝統的なＰｏＥ物理層回路４１および４８（図には示していないリンクによる）、の入力につながれた出力を有する。
【００６７】
中央処理装置４２は：
−  ＰｏＥ電圧検出ユニット３９がアップリンク３８で、ＰｏＥ電圧によって構成されるシャットダウン信号を検出するとき、ＰｏＥ電圧検出ユニット３９によって供給される停止要求信号を受信するためのソフトウェア手段と、
−  この停止要求信号が受信されるとき、このスイッチ３７の機能の少なくともいくつかをシャットダウンするためのソフトウェア手段とを実行する。
【００６８】
好ましくは、中央処理装置４２は、以下のことを実行する：
−  前記ネットワーク要素のポートにそれぞれあらかじめ割り当てられたフラグをチェックするためのソフトウェア手段。フラグの値は、このポートのシャットダウン、およびこのポートを介したシャットダウンの伝搬を許可する、または禁じる。
−  このネットワーク要素が前記シャットダウン信号の第１の値があることを検出するとき、このポートのシャットダウンを許可するフラグを割り当てられた各ポートにのみ、シャットダウンおよびシャットダウンの伝搬を実行するためのソフトウェア手段。こうしたフラグは、ネットワーク管理者によって提供される環境設定データの一部である。
−  ダウンリンクポート４８につながれたネットワーク要素にＰｏＥ電圧が送信されなければならないかどうかを判断するために、署名および電力管理回路４７と協働するソフトウェア手段。これらは、以下のものを含む：
−−  ダウンリンクポートに直接つながれたネットワーク要素が、パワーオーバイーサネット電圧があることによってリモートシャットダウンされることが可能であるかどうかを判断するためのソフトウェア手段。
−−  以下のためのソフトウェア手段：
−−−  このダウンリンクポートにつながれているネットワーク要素が、ＰｏＥ電圧があることによってシャットダウンされることが可能である場合、ＰｏＥ電圧がアップリンク３８で受け取られるとき、このダウンリンクポートでＰｏＥ電圧をオンにし、ＰｏＥ電圧がアップリンク３８で受け取られないとき、このダウンリンクポートでＰｏＥ電圧をオフにする。
−−−  このダウンリンクポートにつながれたネットワーク要素が、ＰｏＥ電圧があることによってリモートシャットダウンされることが可能でない場合、ＰｏＥ電圧がアップリンク３８で受け取られるとき、このダウンリンクポートでＰｏＥ電圧をオフにし、ＰｏＥ電圧がアップリンク３８で受け取られないとき、このダウンリンクポートでＰｏＥ電圧をオンにする。
【００６９】
図５は、光アップリンクを備えた、本発明によるイーサネットスイッチの第２の実施形態６２を概略的に表す。これは、第１の実施形態３７とは以下のことが異なる：
−  電気イーサネットアップリンク３８は、光アップリンク５８に置き換えられている。
−  伝統的な電気ＰｏＥ物理層回路４１は、アップリンク５８につながれたポートを構成する伝統的な光物理層回路６１に置き換えられている。光物理層回路６１は、受け取られる光搬送波がある場合には、これを供給する出力を含む。
−  ＰｏＥ電圧検出回路３９は、連続的な光搬送波がない場合にスイッチ６２の少なくともいくつかの機能をシャットダウンするための停止要求信号を、中央処理装置４２に供給し、および連続的な光搬送波がある場合にネットワーク要素のすべての機能を許可するための手段を含む、搬送波損失検出ユニット５９に置き換えられている。
【００７０】
他の構成要素は変わっていない。
【００７１】
スイッチは、光アップリンクポートと、電気アップリンクポートとを有することができる。ローカルセレクタにより、第１のシャットダウン信号のソース（電気、または光、またはイーサネットフレーム中のデータ）を選択することができる。
【００７２】
第３の実施形態では、搬送波損失検出ユニット５９は、シャットダウン信号に固有の変調信号によって変調された光搬送波を受信するための回路を含む、変調信号損失検出ユニットに置き換えられることが可能である。このユニットは、シャットダウン信号に固有の変調信号がなく、光搬送波がある場合は、中央処理装置４２に停止要求信号を供給するように、また、シャットダウン信号に固有の変調信号がある場合は、停止要求信号をキャンセルするように、すなわちスイッチのすべての機能を許可するように構成される。これにより、スイッチまたは光リンクに障害がある場合に、シャットダウンをカスケードすることを回避する。
【００７３】
変調方法の一例は、光搬送波の振幅を変調する固定ビットパターンであることが可能である。
【００７４】
本発明は、完全光スイッチに適用されることが可能であり、すなわち光アップリンクと光ダウンリンク（または、光リンク／イーサネットリンクの任意の組合せ）を含む。これは、電気イーサネットダウンリンク４９が光ダウンリンクに置き換えられ、各ダウンリンクポートが、変調された光搬送波を供給する光源を含む光物理層回路を含んでいるということが、第２の実施形態６２とは異なる。
【００７５】
可能な一実施形態では、シャットダウン信号が伝搬されなければならない場合、停止要求信号が、搬送波を遮断する。本発明の主な利点として：
物理層用の特別なチップがない。短い時間範囲のいかなる設計も非常に適用し易い。物理層チップ市場で選択しやすい。
ウェイクアップに備えて中央処理装置または物理層を動作させておく必要がない（シャットダウン／再起動イーサネットフレームを受信するカスケードの最上部のスイッチ以外、データ分析の必要がない）。
インストールしやすく、使いやすい。
既存の材料（ＰｏＥ対応）と互換性がある。
【００７６】
典型的なスイッチの消費は２Ｗ／ポートであり、アイドル状態のＩＰ電話については５Ｗである。１０００個の端末を取り付けるには、例えば２２個のスイッチが必要であり、通常動作時には７ｋＷを消費する。長時間作動していない間（夜間）に、これを規格８０２．３ａｚでは最高でも４．５ｋＷまで（３６％改善）、本発明による方法では０．１ｋＷまで（９９％改善）に削減することができる。
【００７７】
知られているデジタルメッセージ上のウェイクアップは、動作したままにするためにデジタル構成要素を必要とする。本発明による方法では、単純で、非常に低電力のアナログ構成要素のみを使用することができる。特別な構成要素の必要がないため、遅れずに適用することができ、あるいは後に第２段階において、イーサネット物理層構成要素に統合することができる。
【００７８】
リモート給電を使用しない（パーソナルコンピュータのような）装置については、内蔵イーサネットアダプタが、ＰｏＥ電圧を検出して、装置をシャットダウンするように変更されることも可能である。これはまた、署名の意味を含む。一実施形態では、このような装置は、ＰｏＥクラス１装置として宣言され、リンクレイヤ検出プロトコル（Ｌｉｎｋ  Ｌａｙｅｒ  Ｄｉｓｃｏｖｅｒｙ  Ｐｒｏｔｏｃｏｌ、ＬＬＤＰ）によってネゴシエーションが行われて、「０ワット電源」を承諾する。この「０ワット電源」の承諾によって、たとえ装置が電力を消費しない場合でも、スイッチポートがＰｏＥ電圧を供給するようになる（ＰｏＥ電圧は単にシャットダウン信号として使用される）。
【００７９】
例えば２つのアップリンクを使用する冗長トポロジを考えると、２つのシャットダウンの第１の信号を組み合わせることによって、または第１のシャットダウン信号を提供する１つのマスタリンクを割り当てることによって、同様に同じシャットダウン方法を利用することができる。ダウンリンクポートをスイッチツリーのより上位であるスイッチのアップリンクポートに接続することによるインターロッキングを回避するよう、注意しなければならない。ポートごとに、マスタアップリンク接続を使用する、またはシャットダウンを無効にするフラグを使用することが、ネットワークトポロジと関連するこの問題の解決法である。
【図１】
2012518926.tif 000003
【図２】
2012518926.tif 000004
【図３】
2012518926.tif 000005
【図４】
2012518926.tif 000006
【図５】
2012518926.tif 000007
【国際調査報告】
2012518926.tif 000008
2012518926.tif 000009
2012518926.tif 000010